(57)【要約】【課題】合成対象の画像データを容易に取得するとともに、画像診断時の操作性を向上させる。【解決手段】診断対象の医用画像データの付帯情報に基づいて、診断対象の医用画像データと同一患者の同一部位を撮影して得られた合成対象の医用画像データを検索するための検索条件を決定する（ステップＳ１６）。この検索条件に基づいて、まず、メディア内を検索し（ステップＳ１７）、メディア内に存在しない場合には（ステップＳ１８；ＮＯ）、Ｂ病院用画像サーバに、検索条件に合致する合成対象の医用画像データの取得要求を送信する（ステップＳ２２）。メディア内又はＢ病院用画像サーバに合成対象の医用画像データが存在する場合には（ステップＳ１８；ＹＥＳ，ステップＳ２３；ＹＥＳ）、診断対象の医用画像データと合成対象の医用画像データとを合成し（ステップＳ２０）、合成画像を表示する（ステップＳ２１）。【選択図】図７
2010029283.tif 000002
【特許請求の範囲】
【請求項１】
ＰＥＴ撮影により得られたＰＥＴ画像データと共に可搬型記憶媒体に記憶されたプログラムであって、
コンピュータを、
前記可搬型記憶媒体に記憶されているＰＥＴ画像データの中から診断対象のＰＥＴ画像データを選択するための操作手段、
ＣＴ撮影により得られたＣＴ画像データ又はＭＲ撮影により得られたＭＲ画像データを記憶し管理する画像サーバに対して、前記診断対象のＰＥＴ画像データと同一患者の同一部位を撮影して得られた合成対象のＣＴ画像データ又はＭＲ画像データの取得要求を送信し、前記画像サーバから前記合成対象のＣＴ画像データ又はＭＲ画像データを受信した場合に、前記診断対象のＰＥＴ画像データと前記合成対象のＣＴ画像データ又はＭＲ画像データとを合成し、当該合成された画像データに基づいて合成画像を表示手段に表示させる制御手段、
として機能させるためのプログラム。
【請求項２】
前記可搬型記憶媒体には、更に、ＣＴ画像データ又はＭＲ画像データが記憶されており、
前記制御手段は、前記可搬型記憶媒体に記憶されているＣＴ画像データ又はＭＲ画像データの中から前記合成対象のＣＴ画像データ又はＭＲ画像データを検索し、前記可搬型記憶媒体内に前記合成対象のＣＴ画像データ又はＭＲ画像データが存在しない場合に、前記画像サーバに対して前記取得要求を送信する、
請求項１に記載のプログラム。
【請求項３】
前記制御手段は、前記画像サーバ内に前記合成対象のＣＴ画像データ又はＭＲ画像データが存在しない場合に、前記診断対象のＰＥＴ画像データと同一患者の同一部位をＣＴ撮影又はＭＲ撮影するための撮影条件を生成し、当該生成された撮影条件をＣＴ装置又はＭＲ装置に送信する、
請求項１又は２に記載のプログラム。
【請求項４】
ＣＴ撮影により得られたＣＴ画像データ又はＭＲ撮影により得られたＭＲ画像データと共に可搬型記憶媒体に記憶されたプログラムであって、
コンピュータを、
前記可搬型記憶媒体に記憶されているＣＴ画像データ又はＭＲ画像データの中から診断対象のＣＴ画像データ又はＭＲ画像データを選択するための操作手段、
ＰＥＴ撮影により得られたＰＥＴ画像データを記憶し管理する画像サーバに対して、前記診断対象のＣＴ画像データ又はＭＲ画像データと同一患者の同一部位を撮影して得られた合成対象のＰＥＴ画像データの取得要求を送信し、前記画像サーバから前記合成対象のＰＥＴ画像データを受信した場合に、前記診断対象のＣＴ画像データ又はＭＲ画像データと前記合成対象のＰＥＴ画像データとを合成し、当該合成された画像データに基づいて合成画像を表示手段に表示させる制御手段、
として機能させるためのプログラム。
【請求項５】
前記可搬型記憶媒体には、更に、ＰＥＴ画像データが記憶されており、
前記制御手段は、前記可搬型記憶媒体に記憶されているＰＥＴ画像データの中から前記合成対象のＰＥＴ画像データを検索し、前記可搬型記憶媒体内に前記合成対象のＰＥＴ画像データが存在しない場合に、前記画像サーバに対して前記取得要求を送信する、
請求項４に記載のプログラム。
【請求項６】
前記制御手段は、前記画像サーバ内に前記合成対象のＰＥＴ画像データが存在しない場合に、前記診断対象のＣＴ画像データ又はＭＲ画像データと同一患者の同一部位をＰＥＴ撮影するための撮影条件を生成し、当該生成された撮影条件をＰＥＴ装置に送信する、
請求項４又は５に記載のプログラム。
【請求項７】
ＰＥＴ撮影により得られたＰＥＴ画像データを記憶する可搬型記憶媒体であって、
コンピュータを、
前記可搬型記憶媒体に記憶されているＰＥＴ画像データの中から診断対象のＰＥＴ画像データを選択するための操作手段、
ＣＴ撮影により得られたＣＴ画像データ又はＭＲ撮影により得られたＭＲ画像データを記憶し管理する画像サーバに対して、前記診断対象のＰＥＴ画像データと同一患者の同一部位を撮影して得られた合成対象のＣＴ画像データ又はＭＲ画像データの取得要求を送信し、前記画像サーバから前記合成対象のＣＴ画像データ又はＭＲ画像データを受信した場合に、前記診断対象のＰＥＴ画像データと前記合成対象のＣＴ画像データ又はＭＲ画像データとを合成し、当該合成された画像データに基づいて合成画像を表示手段に表示させる制御手段、
として機能させるためのプログラムを前記ＰＥＴ画像データと共に記憶する可搬型記憶媒体。
【請求項８】
ＣＴ撮影により得られたＣＴ画像データ又はＭＲ撮影により得られたＭＲ画像データを記憶する可搬型記憶媒体であって、
コンピュータを、
前記可搬型記憶媒体に記憶されているＣＴ画像データ又はＭＲ画像データの中から診断対象のＣＴ画像データ又はＭＲ画像データを選択するための操作手段、
ＰＥＴ撮影により得られたＰＥＴ画像データを記憶し管理する画像サーバに対して、前記診断対象のＣＴ画像データ又はＭＲ画像データと同一患者の同一部位を撮影して得られた合成対象のＰＥＴ画像データの取得要求を送信し、前記画像サーバから前記合成対象のＰＥＴ画像データを受信した場合に、前記診断対象のＣＴ画像データ又はＭＲ画像データと前記合成対象のＰＥＴ画像データとを合成し、当該合成された画像データに基づいて合成画像を表示手段に表示させる制御手段、
として機能させるためのプログラムを前記ＣＴ画像データ又はＭＲ画像データと共に記憶する可搬型記憶媒体。
【請求項９】
ＰＥＴ撮影により得られたＰＥＴ画像データを可搬型記憶媒体に書き込む書込制御手段を備える情報処理装置であって、
前記情報処理装置の書込制御手段は、
コンピュータを、
前記可搬型記憶媒体に記憶されているＰＥＴ画像データの中から診断対象のＰＥＴ画像データを選択するための操作手段、
ＣＴ撮影により得られたＣＴ画像データ又はＭＲ撮影により得られたＭＲ画像データを記憶し管理する画像サーバに対して、前記診断対象のＰＥＴ画像データと同一患者の同一部位を撮影して得られた合成対象のＣＴ画像データ又はＭＲ画像データの取得要求を送信し、前記画像サーバから前記合成対象のＣＴ画像データ又はＭＲ画像データを受信した場合に、前記診断対象のＰＥＴ画像データと前記合成対象のＣＴ画像データ又はＭＲ画像データとを合成し、当該合成された画像データに基づいて合成画像を表示手段に表示させる制御手段、
として機能させるためのプログラムを前記ＰＥＴ画像データと共に前記可搬型記憶媒体に書き込む情報処理装置。
【請求項１０】
ＣＴ撮影により得られたＣＴ画像データ又はＭＲ撮影により得られたＭＲ画像データを可搬型記憶媒体に書き込む書込制御手段を備える情報処理装置であって、
前記情報処理装置の書込制御手段は、
コンピュータを、
前記可搬型記憶媒体に記憶されているＣＴ画像データ又はＭＲ画像データの中から診断対象のＣＴ画像データ又はＭＲ画像データを選択するための操作手段、
ＰＥＴ撮影により得られたＰＥＴ画像データを記憶し管理する画像サーバに対して、前記診断対象のＣＴ画像データ又はＭＲ画像データと同一患者の同一部位を撮影して得られた合成対象のＰＥＴ画像データの取得要求を送信し、前記画像サーバから前記合成対象のＰＥＴ画像データを受信した場合に、前記診断対象のＣＴ画像データ又はＭＲ画像データと前記合成対象のＰＥＴ画像データとを合成し、当該合成された画像データに基づいて合成画像を表示手段に表示させる制御手段、
として機能させるためのプログラムを前記ＣＴ画像データ又はＭＲ画像データと共に前記可搬型記憶媒体に書き込む情報処理装置。
【発明の詳細な説明】
【技術分野】
【０００１】
本発明は、プログラム、可搬型記憶媒体及び情報処理装置に関する。
【背景技術】
【０００２】
近年、多くの医療機関において情報のデジタル化が図られている。例えば、ＣＲ（Computed Radiography）装置、ＣＴ（Computed Tomography）装置、ＭＲ（Magnetic Resonance）装置等の画像生成装置（モダリティ）は、撮影により得られた医用画像の画像データに付帯情報を付帯させて、ＤＩＣＯＭ（Digital Imaging and Communications in Medicine）規格に則ったＤＩＣＯＭ画像データを生成する。
【０００３】
また、画像サーバは、モダリティにおいて生成されたＤＩＣＯＭ画像データを記憶し、管理する。画像サーバがＤＩＣＯＭ画像データを管理する技術として、例えば、付帯情報に含まれる検査情報（スタディ属性）、シリーズ情報（シリーズ属性）等に基づいた階層関係で、ＤＩＣＯＭ画像データを管理するものが提案されている（特許文献１参照）。
【０００４】
また、癌細胞を早期に発見する目的で、ＰＥＴ（Positron Emission Tomography）装置による全身スクリーニングが普及しつつある。癌細胞は、正常な細胞と比較してブドウ糖の消費が多いため、ＰＥＴ装置によって細胞の代謝の様子を画像化することにより、癌細胞を検出することができる。ＰＥＴ画像のみでは、画像内の各位置が患者のどこに対応するかを特定することが困難であるため、組織の形状を表すＣＴ画像又はＭＲ画像と合成（フュージョン）することによって、癌細胞の正確な位置が把握可能となる。
【０００５】
現在、ＰＥＴ装置を備える施設は限られているため、外部の施設で撮影されたＰＥＴ画像がＣＤ−Ｒ等のメディア（可搬型記憶媒体）に記憶されて他施設に提供される場合もある。また、それとは逆に、ＣＴ画像又はＭＲ画像が記憶されたメディアがＰＥＴ装置を備える施設に提供されることも考えられる。
【０００６】
これらのメディアには、ＩＨＥ（Integrating Healthcare Enterprise）及びＩＨＥ−Ｊ（Integrating Healthcare Enterprise - Japan）のＰＤＩ（Portable Data for Imaging）によって定められたデータ構造に則って、ＤＩＣＯＭ画像データが書き込まれるため、異なる医療施設間や、異なるベンダのシステム間において、当該ＤＩＣＯＭ画像データのデータ移送、データ参照が可能になっている。
【特許文献１】特開２００２−１３３３９３号公報
【発明の開示】
【発明が解決しようとする課題】
【０００７】
しかし、メディアを介してＰＥＴ画像が提供された医療施設において、このＰＥＴ画像と、施設内の画像サーバ内に記憶されているＣＴ画像又はＭＲ画像とを合成して表示するためには、ＰＥＴ画像を施設内の画像サーバに取り込む必要があり、画像同士を合成するためのソフトウェアも必要であった。メディアを介してＣＴ画像又はＭＲ画像が持ち込まれた場合も同様である。
【０００８】
また、メディアに記憶されているＰＥＴ画像と合成すべきＣＴ画像又はＭＲ画像を検索する際や、メディアに記憶されているＣＴ画像又はＭＲ画像と合成すべきＰＥＴ画像を検索する際には、検索条件（患者情報、検査種、部位等）を手入力する必要があり、煩雑な作業であった。
【０００９】
本発明は、上記の従来技術における問題に鑑みてなされたものであって、合成対象の画像データを容易に取得するとともに、画像診断時の操作性を向上させることを課題とする。
【課題を解決するための手段】
【００１０】
上記課題を解決するために、請求項１に記載の発明は、ＰＥＴ撮影により得られたＰＥＴ画像データと共に可搬型記憶媒体に記憶されたプログラムであって、コンピュータを、前記可搬型記憶媒体に記憶されているＰＥＴ画像データの中から診断対象のＰＥＴ画像データを選択するための操作手段、ＣＴ撮影により得られたＣＴ画像データ又はＭＲ撮影により得られたＭＲ画像データを記憶し管理する画像サーバに対して、前記診断対象のＰＥＴ画像データと同一患者の同一部位を撮影して得られた合成対象のＣＴ画像データ又はＭＲ画像データの取得要求を送信し、前記画像サーバから前記合成対象のＣＴ画像データ又はＭＲ画像データを受信した場合に、前記診断対象のＰＥＴ画像データと前記合成対象のＣＴ画像データ又はＭＲ画像データとを合成し、当該合成された画像データに基づいて合成画像を表示手段に表示させる制御手段、として機能させるためのプログラムである。
【００１１】
請求項２に記載の発明は、請求項１に記載のプログラムにおいて、前記可搬型記憶媒体には、更に、ＣＴ画像データ又はＭＲ画像データが記憶されており、前記制御手段は、前記可搬型記憶媒体に記憶されているＣＴ画像データ又はＭＲ画像データの中から前記合成対象のＣＴ画像データ又はＭＲ画像データを検索し、前記可搬型記憶媒体内に前記合成対象のＣＴ画像データ又はＭＲ画像データが存在しない場合に、前記画像サーバに対して前記取得要求を送信する。
【００１２】
請求項３に記載の発明は、請求項１又は２に記載のプログラムにおいて、前記制御手段は、前記画像サーバ内に前記合成対象のＣＴ画像データ又はＭＲ画像データが存在しない場合に、前記診断対象のＰＥＴ画像データと同一患者の同一部位をＣＴ撮影又はＭＲ撮影するための撮影条件を生成し、当該生成された撮影条件をＣＴ装置又はＭＲ装置に送信する。
【００１３】
請求項４に記載の発明は、ＣＴ撮影により得られたＣＴ画像データ又はＭＲ撮影により得られたＭＲ画像データと共に可搬型記憶媒体に記憶されたプログラムであって、コンピュータを、前記可搬型記憶媒体に記憶されているＣＴ画像データ又はＭＲ画像データの中から診断対象のＣＴ画像データ又はＭＲ画像データを選択するための操作手段、ＰＥＴ撮影により得られたＰＥＴ画像データを記憶し管理する画像サーバに対して、前記診断対象のＣＴ画像データ又はＭＲ画像データと同一患者の同一部位を撮影して得られた合成対象のＰＥＴ画像データの取得要求を送信し、前記画像サーバから前記合成対象のＰＥＴ画像データを受信した場合に、前記診断対象のＣＴ画像データ又はＭＲ画像データと前記合成対象のＰＥＴ画像データとを合成し、当該合成された画像データに基づいて合成画像を表示手段に表示させる制御手段、として機能させるためのプログラムである。
【００１４】
請求項５に記載の発明は、請求項４に記載のプログラムにおいて、前記可搬型記憶媒体には、更に、ＰＥＴ画像データが記憶されており、前記制御手段は、前記可搬型記憶媒体に記憶されているＰＥＴ画像データの中から前記合成対象のＰＥＴ画像データを検索し、前記可搬型記憶媒体内に前記合成対象のＰＥＴ画像データが存在しない場合に、前記画像サーバに対して前記取得要求を送信する。
【００１５】
請求項６に記載の発明は、請求項４又は５に記載のプログラムにおいて、前記制御手段は、前記画像サーバ内に前記合成対象のＰＥＴ画像データが存在しない場合に、前記診断対象のＣＴ画像データ又はＭＲ画像データと同一患者の同一部位をＰＥＴ撮影するための撮影条件を生成し、当該生成された撮影条件をＰＥＴ装置に送信する。
【００１６】
請求項７に記載の発明は、ＰＥＴ撮影により得られたＰＥＴ画像データを記憶する可搬型記憶媒体であって、コンピュータを、前記可搬型記憶媒体に記憶されているＰＥＴ画像データの中から診断対象のＰＥＴ画像データを選択するための操作手段、ＣＴ撮影により得られたＣＴ画像データ又はＭＲ撮影により得られたＭＲ画像データを記憶し管理する画像サーバに対して、前記診断対象のＰＥＴ画像データと同一患者の同一部位を撮影して得られた合成対象のＣＴ画像データ又はＭＲ画像データの取得要求を送信し、前記画像サーバから前記合成対象のＣＴ画像データ又はＭＲ画像データを受信した場合に、前記診断対象のＰＥＴ画像データと前記合成対象のＣＴ画像データ又はＭＲ画像データとを合成し、当該合成された画像データに基づいて合成画像を表示手段に表示させる制御手段、として機能させるためのプログラムを前記ＰＥＴ画像データと共に記憶する。
【００１７】
請求項８に記載の発明は、ＣＴ撮影により得られたＣＴ画像データ又はＭＲ撮影により得られたＭＲ画像データを記憶する可搬型記憶媒体であって、コンピュータを、前記可搬型記憶媒体に記憶されているＣＴ画像データ又はＭＲ画像データの中から診断対象のＣＴ画像データ又はＭＲ画像データを選択するための操作手段、ＰＥＴ撮影により得られたＰＥＴ画像データを記憶し管理する画像サーバに対して、前記診断対象のＣＴ画像データ又はＭＲ画像データと同一患者の同一部位を撮影して得られた合成対象のＰＥＴ画像データの取得要求を送信し、前記画像サーバから前記合成対象のＰＥＴ画像データを受信した場合に、前記診断対象のＣＴ画像データ又はＭＲ画像データと前記合成対象のＰＥＴ画像データとを合成し、当該合成された画像データに基づいて合成画像を表示手段に表示させる制御手段、として機能させるためのプログラムを前記ＣＴ画像データ又はＭＲ画像データと共に記憶する。
【００１８】
請求項９に記載の発明は、ＰＥＴ撮影により得られたＰＥＴ画像データを可搬型記憶媒体に書き込む書込制御手段を備える情報処理装置であって、前記情報処理装置の書込制御手段は、コンピュータを、前記可搬型記憶媒体に記憶されているＰＥＴ画像データの中から診断対象のＰＥＴ画像データを選択するための操作手段、ＣＴ撮影により得られたＣＴ画像データ又はＭＲ撮影により得られたＭＲ画像データを記憶し管理する画像サーバに対して、前記診断対象のＰＥＴ画像データと同一患者の同一部位を撮影して得られた合成対象のＣＴ画像データ又はＭＲ画像データの取得要求を送信し、前記画像サーバから前記合成対象のＣＴ画像データ又はＭＲ画像データを受信した場合に、前記診断対象のＰＥＴ画像データと前記合成対象のＣＴ画像データ又はＭＲ画像データとを合成し、当該合成された画像データに基づいて合成画像を表示手段に表示させる制御手段、として機能させるためのプログラムを前記ＰＥＴ画像データと共に前記可搬型記憶媒体に書き込む。
【００１９】
請求項１０に記載の発明は、ＣＴ撮影により得られたＣＴ画像データ又はＭＲ撮影により得られたＭＲ画像データを可搬型記憶媒体に書き込む書込制御手段を備える情報処理装置であって、前記情報処理装置の書込制御手段は、コンピュータを、前記可搬型記憶媒体に記憶されているＣＴ画像データ又はＭＲ画像データの中から診断対象のＣＴ画像データ又はＭＲ画像データを選択するための操作手段、ＰＥＴ撮影により得られたＰＥＴ画像データを記憶し管理する画像サーバに対して、前記診断対象のＣＴ画像データ又はＭＲ画像データと同一患者の同一部位を撮影して得られた合成対象のＰＥＴ画像データの取得要求を送信し、前記画像サーバから前記合成対象のＰＥＴ画像データを受信した場合に、前記診断対象のＣＴ画像データ又はＭＲ画像データと前記合成対象のＰＥＴ画像データとを合成し、当該合成された画像データに基づいて合成画像を表示手段に表示させる制御手段、として機能させるためのプログラムを前記ＣＴ画像データ又はＭＲ画像データと共に前記可搬型記憶媒体に書き込む。
【発明の効果】
【００２０】
請求項１、７、９に記載の発明によれば、診断対象のＰＥＴ画像データと合成すべき合成対象のＣＴ画像データ又はＭＲ画像データを容易に取得することができるとともに、画像診断時の操作性を向上させることができる。
【００２１】
請求項２に記載の発明によれば、画像サーバに対して合成対象のＣＴ画像データ又はＭＲ画像データの取得要求を送信するのに先立って、可搬型記憶媒体から合成対象のＣＴ画像データ又はＭＲ画像データを検索することができる。
【００２２】
請求項３に記載の発明によれば、画像サーバ内に合成対象のＣＴ画像データ又はＭＲ画像データが存在しない場合に、新たに撮影することによって合成対象のＣＴ画像データ又はＭＲ画像データを生成することができる。
【００２３】
請求項４、８、１０に記載の発明によれば、診断対象のＣＴ画像データ又はＭＲ画像データと合成すべき合成対象のＰＥＴ画像データを容易に取得することができるとともに、画像診断時の操作性を向上させることができる。
【００２４】
請求項５に記載の発明によれば、画像サーバに対して合成対象のＰＥＴ画像データの取得要求を送信するのに先立って、可搬型記憶媒体から合成対象のＰＥＴ画像データを検索することができる。
【００２５】
請求項６に記載の発明によれば、画像サーバ内に合成対象のＰＥＴ画像データが存在しない場合に、新たに撮影することによって合成対象のＰＥＴ画像データを生成することができる。
【発明を実施するための最良の形態】
【００２６】
［第１の実施の形態］
まず、図１〜図１１を参照して、本発明の第１の実施の形態について説明する。
【００２７】
［医用画像システムのシステム構成］
図１に、第１の実施の形態における医用画像システム１のシステム構成を示す。図１に示すように、医用画像システム１は、Ａ病院内医用画像システム１００とＢ病院内医用画像システム２００とから構成されている。
【００２８】
Ａ病院内医用画像システム１００は、Ａ病院内における医用画像システムである。Ａ病院内医用画像システム１００は、ＲＩＳ（Radiological Information System：放射線情報システム）１０と、モダリティ２０と、画像ビューワ端末３０と、Ａ病院用画像サーバ４０と、図示しないその他の装置とから構成されており、各装置は通信ネットワークＮ１を介してデータ通信可能に接続されている。
【００２９】
ＲＩＳ１０は、Ａ病院の放射線科部門内における診療予約、診断結果のレポート、実績管理、材料在庫管理等の情報管理を行う。ＲＩＳ１０は、図示しない電子カルテシステムから受信した撮影オーダ情報をモダリティ２０及びＡ病院用画像サーバ４０に送信する。
【００３０】
モダリティ２０は、ＲＩＳ１０から受信した撮影オーダ情報に従って患者を撮影し、医用画像の画像データ（以下、医用画像データという。）を生成する。また、モダリティ２０は、撮影オーダ情報に基づいて、医用画像データに関する付帯情報を生成する。そして、モダリティ２０は、ＤＩＣＯＭ規格に則って医用画像データに付帯情報を付帯させ、Ａ病院用画像サーバ４０に送信する。モダリティ２０としては、ＣＲ装置、ＣＴ装置、ＭＲ装置、ＰＥＴ装置等、様々な種類の医用画像を撮影する撮影装置が適用可能である。
【００３１】
付帯情報は、患者情報、検査情報、シリーズ情報及び画像情報を含む。患者情報は、患者ＩＤ、患者名（英字、カナ、漢字）、性別、生年月日、年齢、身長、体重等の患者に関する情報である。検査情報は、検査を識別する検査インスタンスＵＩＤ、検査日、検査時刻、受付番号、担当医師等の検査に関する情報である。シリーズ情報は、シリーズを識別するシリーズインスタンスＵＩＤ、モダリティ名（検査種）、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。
【００３２】
Ａ病院用画像サーバ４０は、モダリティ２０において生成された医用画像データ等を記憶し、管理する情報処理装置である。Ａ病院用画像サーバ４０は、外部機器から医用画像データの取得要求を受信した場合、当該取得要求に応じた医用画像データを当該外部機器に送信する。
【００３３】
また、Ａ病院用画像サーバ４０は、ＩＨＥ及びＩＨＥ−ＪのＰＤＩによって定められたデータ構造に則って、ＣＤ−ＲやＤＶＤ−Ｒ等のメディアＭ（可搬型記憶媒体）に医用画像データ等を書き込む（ＥＸＰＯＲＴする）。また、Ａ病院用画像サーバ４０は、当該医用画像データと共に、画像合成プログラム４６１（図２参照）をメディアＭに書き込む。
【００３４】
画像ビューワ端末３０は、高精細モニタを有し、当該高精細モニタに医用画像を表示する端末である。画像ビューワ端末３０は、読影医等のユーザによる操作に基づき、Ａ病院用画像サーバ４０に医用画像データの取得要求を送信し、当該取得要求に応じた医用画像データを取得する。そして、当該医用画像データに基づきモニタに医用画像を表示する。
【００３５】
Ｂ病院内医用画像システム２００は、Ｂ病院内における医用画像システムである。Ｂ病院内医用画像システム２００は、モダリティ５０と、汎用ＰＣ端末６０と、ＲＩＳ７０と、画像ビューワ端末８０と、Ｂ病院用画像サーバ９０と、図示しないその他の装置とから構成されており、各装置は通信ネットワークＮ２を介してデータ通信可能に接続されている。
【００３６】
ＲＩＳ７０は、Ｂ病院の放射線科部門内における診療予約、診断結果のレポート、実績管理、材料在庫管理等の情報管理を行う。ＲＩＳ７０は、図示しない電子カルテシステムから受信した撮影オーダ情報をモダリティ５０及びＢ病院用画像サーバ９０に送信する。
【００３７】
モダリティ５０は、ＲＩＳ７０から受信した撮影オーダ情報に従って患者を撮影し、医用画像データを生成する。また、モダリティ５０は、撮影オーダ情報に基づいて、医用画像データに関する付帯情報を生成する。そして、モダリティ５０は、ＤＩＣＯＭ規格に則って画像データに付帯情報を付帯させ、Ｂ病院用画像サーバ９０に送信する。モダリティ５０としては、ＣＲ装置、ＣＴ装置、ＭＲ装置、ＰＥＴ装置等、様々な種類の医用画像を撮影する撮影装置が適用可能である。
【００３８】
Ｂ病院用画像サーバ９０は、モダリティ５０等において生成された医用画像データ等を記憶し、管理する。Ｂ病院用画像サーバ９０は、外部機器から医用画像データの取得要求を受信した場合、当該取得要求に応じた医用画像データを当該外部機器に送信する。
【００３９】
画像ビューワ端末８０は、高精細モニタを有し、当該高精細モニタに医用画像を表示する端末である。画像ビューワ端末８０は、読影医等のユーザによる操作に基づき、Ｂ病院用画像サーバ９０に医用画像データの取得要求を送信し、当該取得要求に応じた医用画像データを取得する。そして、当該医用画像データに基づきモニタに医用画像を表示する。
【００４０】
汎用ＰＣ端末６０は、通常の汎用ＰＣであり、Ａ病院用画像サーバ４０においてメディアＭに書き込まれた医用画像データや画像合成プログラム４６１等をメディアＭから読み出し、画像合成プログラム４６１に従って、医用画像の表示や合成処理を行う。
【００４１】
［Ａ病院用画像サーバの機能的構成］
図２に、Ａ病院用画像サーバ４０の機能的構成を示す。図２に示すように、Ａ病院用画像サーバ４０は、制御部４１、操作部４２、表示部４３、通信部４４、ＲＯＭ（Read Only Memory）４５、記憶部４６、メディアドライブ４７を備えて構成され、各部はバス４８により接続されている。
【００４２】
制御部４１は、ＣＰＵ（Central Processing Unit）、ＲＡＭ（Random Access Memory）等から構成され、Ａ病院用画像サーバ４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００４３】
操作部４２は、カーソルキー、文字入力キー、及び各種機能キー等を備えたキーボードと、マウス等のポインティングデバイスを備えて構成され、キーボードに対するキー操作やマウス操作により入力された操作信号を制御部４１に出力する。
【００４４】
表示部４３は、ＬＣＤ（Liquid Crystal Display）により構成され、制御部４１から入力される表示データに基づいて各種画面を表示する。
【００４５】
通信部４４は、ＬＡＮ（Local Area Network）アダプタ、ルータ、ＴＡ（Terminal Adapter）等を備え、通信ネットワークＮ１を介して接続されたＲＩＳ１０、モダリティ２０、画像ビューワ端末３０等の外部機器との間でデータの送受信を行う。
【００４６】
ＲＯＭ４５は、不揮発性の半導体メモリ等により構成され、各種処理プログラム、当該プログラムの実行に必要なパラメータやファイル等を記憶している。
【００４７】
記憶部４６は、ハードディスク等から構成される記憶装置であり、モダリティ２０により生成された医用画像データや画像合成プログラム４６１等を記憶する。
【００４８】
メディアドライブ４７は、制御部４１からの制御信号に基づき、メディアＭに各種データを書き込む。また、メディアドライブ４７は、制御部４１からの制御信号に基づき、メディアＭに記憶されている各種データを読み出す。
【００４９】
制御部４１は、操作部４２からの操作信号等に基づいて、書き込み対象として選択された医用画像データ、画像合成プログラム４６１を記憶部４６から読み出し、メディアドライブ４７を介してメディアＭに書き込む。
【００５０】
図３に、このメディアＭが記憶するデータを示す。メディアＭには、医用画像データと画像合成プログラム４６１とが記憶される。
【００５１】
ここで、画像合成プログラム４６１とは、当該プログラムを実行するコンピュータに対して、メディアＭに共に記憶されている医用画像データの中から診断対象の医用画像データを選択させ、診断対象の医用画像データと同一患者の同一部位を撮影して得られた合成対象の医用画像データを取得させ、診断対象の医用画像データと合成対象の医用画像データとを合成させ、当該合成された画像データに基づいて合成画像を表示させるためのプログラムである。
【００５２】
具体的に、診断対象の医用画像データがＰＥＴ撮影により得られた医用画像データ（以下、ＰＥＴ画像データという。）である場合には、このＰＥＴ画像データと同一患者の同一部位を、ＣＴ装置又はＭＲ装置で撮影して得られた医用画像データが合成対象の医用画像データとなる。また、診断対象の医用画像データがＣＴ撮影により得られた医用画像データ（以下、ＣＴ画像データという。）又はＭＲ撮影により得られた医用画像データ（以下、ＭＲ画像データという。）である場合には、このＣＴ画像データ又はＭＲ画像データと同一患者の同一部位を、ＰＥＴ装置で撮影して得られた医用画像データが合成対象の医用画像データとなる。
【００５３】
制御部４１は、記憶部４６に記憶されている医用画像データを管理する。制御部４１は、通信部４４を介して、外部機器から医用画像データを受信すると、当該医用画像データを記憶部４６に記憶させ、データベースに登録して管理する。
【００５４】
制御部４１は、通信部４４を介して、外部機器から医用画像データの取得要求を受信すると、当該医用画像データの取得要求に応じた医用画像データを記憶部４６から読み出す。そして、制御部４１は、通信部４４を介して、当該読み出した医用画像データを外部機器に送信する。
【００５５】
［Ｂ病院用画像サーバの機能的構成］
図４に、Ｂ病院用画像サーバ９０の機能的構成を示す。図４に示すように、Ｂ病院用画像サーバ９０は、制御部９１、操作部９２、表示部９３、通信部９４、ＲＯＭ９５、記憶部９６を備えて構成され、各部はバス９７により接続されている。
【００５６】
制御部９１は、ＣＰＵ、ＲＡＭ等から構成され、Ｂ病院用画像サーバ９０の各部の処理動作を統括的に制御する。具体的には、ＣＰＵは、操作部９２から入力される操作信号又は通信部９４により受信される指示信号に応じて、ＲＯＭ９５に記憶されている各種処理プログラムを読み出し、ＲＡＭ内に形成されたワークエリアに展開し、当該プログラムとの協働により各種処理を行う。
【００５７】
操作部９２は、カーソルキー、文字入力キー、及び各種機能キー等を備えたキーボードと、マウス等のポインティングデバイスを備えて構成され、キーボードに対するキー操作やマウス操作により入力された操作信号を制御部９１に出力する。
【００５８】
表示部９３は、ＬＣＤにより構成され、制御部９１から入力される表示データに基づいて各種画面を表示する。
【００５９】
通信部９４は、ＬＡＮアダプタ、ルータ、ＴＡ等を備え、通信ネットワークＮ２を介して接続されたＲＩＳ７０、モダリティ５０、画像ビューワ端末８０、汎用ＰＣ端末６０等の外部機器との間でデータの送受信を行う。
【００６０】
ＲＯＭ９５は、不揮発性の半導体メモリ等により構成され、各種処理プログラム、当該プログラムの実行に必要なパラメータやファイル等を記憶している。
【００６１】
記憶部９６は、ハードディスク等から構成される記憶装置であり、モダリティ５０により生成された医用画像データ等を記憶する。
【００６２】
制御部９１は、記憶部９６に記憶されている医用画像データを管理する。制御部９１は、通信部９４を介して、外部機器から医用画像データを受信すると、当該医用画像データを記憶部９６に記憶させ、データベースに登録して管理する。
【００６３】
制御部９１は、通信部９４を介して、外部機器から医用画像データの取得要求を受信すると、当該医用画像データの取得要求に応じた医用画像データを記憶部９６から読み出す。そして、制御部９１は、通信部９４を介して、当該読み出した医用画像データを外部機器に送信する。
【００６４】
［汎用ＰＣ端末の機能的構成］
図５に、汎用ＰＣ端末６０の機能的構成を示す。図５に示すように、汎用ＰＣ端末６０は、制御部６１、操作部６２、表示部６３、通信部６４、ＲＯＭ６５、記憶部６６、メディアドライブ６７を備えて構成され、各部はバス６８により接続されている。
【００６５】
制御部６１は、ＣＰＵ、ＲＡＭ等から構成され、汎用ＰＣ端末６０の各部の処理動作を統括的に制御する。具体的には、ＣＰＵは、操作部６２から入力される操作信号又は通信部６４により受信される指示信号に応じて、ＲＯＭ６５又はメディアＭに記憶されている各種処理プログラムを読み出し、ＲＡＭ内に形成されたワークエリアに展開し、当該プログラムとの協働により各種処理を行う。
【００６６】
操作部６２は、カーソルキー、文字入力キー、及び各種機能キー等を備えたキーボードと、マウス等のポインティングデバイスを備えて構成され、キーボードに対するキー操作やマウス操作により入力された操作信号を制御部６１に出力する。操作部６２は、メディアＭに記憶されている医用画像データの中から診断対象の医用画像データを選択する際に用いられる。
【００６７】
表示部６３は、ＬＣＤにより構成され、制御部６１から入力される表示データに基づいて各種画面を表示する。
【００６８】
通信部６４は、ＬＡＮアダプタ、ルータ、ＴＡ等を備え、通信ネットワークＮ２を介して接続されたＢ病院用画像サーバ９０等の外部機器との間でデータの送受信を行う。
【００６９】
ＲＯＭ６５は、不揮発性の半導体メモリ等により構成され、各種処理プログラム、当該プログラムの実行に必要なパラメータやファイル等を記憶している。
【００７０】
記憶部６６は、ハードディスク等から構成される記憶装置であり、画像サーバ所在情報６６１等のデータを記憶している。画像サーバ所在情報６６１とは、Ｂ病院内医用画像システム２００内における画像サーバ（Ｂ病院用画像サーバ９０）の所在を示す情報である。具体的には、画像サーバ所在情報６６１は、Ｂ病院用画像サーバ９０の「ＩＰアドレス」、「ポート番号」、「ＡＥ（Application Entity）タイトル」の項目から構成される。ここで、「ＡＥタイトル」とは、ＤＩＣＯＭ規格に則った各機器の識別名である。画像サーバ所在情報６６１の各項目は、ユーザ操作による操作部６２からの操作信号に基づき、予め設定されていることとしてもよいし、画像合成プログラム４６１が起動してから設定されることとしてもよい。
【００７１】
メディアドライブ６７は、制御部６１からの制御信号に基づき、メディアＭに各種データを書き込む。また、メディアドライブ６７は、制御部６１からの制御信号に基づき、メディアＭに記憶されている各種データを読み出す。
【００７２】
制御部６１は、メディアドライブ６７を介して、メディアＭから画像合成プログラム４６１を読み出し、画像合成プログラム４６１との協働により、メディアＭに共に記憶されている医用画像データの中から診断対象の医用画像データを選択させる。
【００７３】
診断対象の医用画像データとしてＰＥＴ画像データが選択された場合には、制御部６１は、診断対象のＰＥＴ画像データと同一患者の同一部位を撮影して得られた合成対象のＣＴ画像データ又はＭＲ画像データを、メディアＭに記憶されている医用画像データの中から検索する。制御部６１は、メディアＭ内に合成対象のＣＴ画像データ又はＭＲ画像データが存在する場合に、診断対象のＰＥＴ画像データとメディアＭから読み出した合成対象のＣＴ画像データ又はＭＲ画像データとを合成し、合成された画像データに基づいて合成画像を表示部６３に表示させる。
【００７４】
制御部６１は、メディアＭ内に合成対象のＣＴ画像データ又はＭＲ画像データが存在しない場合に、Ｂ病院用画像サーバ９０に対して、診断対象のＰＥＴ画像データと同一患者の同一部位を撮影して得られた合成対象のＣＴ画像データ又はＭＲ画像データの取得要求を送信する。制御部６１は、Ｂ病院用画像サーバ９０から合成対象のＣＴ画像データ又はＭＲ画像データを受信した場合に、診断対象のＰＥＴ画像データとＢ病院用画像サーバ９０から受信した合成対象のＣＴ画像データ又はＭＲ画像データとを合成し、合成された画像データに基づいて合成画像を表示部６３に表示させる。
【００７５】
一方、診断対象の医用画像データとしてＣＴ画像データ又はＭＲ画像データが選択された場合には、制御部６１は、診断対象のＣＴ画像データ又はＭＲ画像データと同一患者の同一部位を撮影して得られた合成対象のＰＥＴ画像データを、メディアＭに記憶されている医用画像データの中から検索する。制御部６１は、メディアＭ内に合成対象のＰＥＴ画像データが存在する場合に、診断対象のＣＴ画像データ又はＭＲ画像データとメディアＭから読み出した合成対象のＰＥＴ画像データとを合成し、合成された画像データに基づいて合成画像を表示部６３に表示させる。
【００７６】
制御部６１は、メディアＭ内に合成対象のＰＥＴ画像データが存在しない場合に、Ｂ病院用画像サーバ９０に対して、診断対象のＣＴ画像データ又はＭＲ画像データと同一患者の同一部位を撮影して得られた合成対象のＰＥＴ画像データの取得要求を送信する。制御部６１は、Ｂ病院用画像サーバ９０から合成対象のＰＥＴ画像データを受信した場合に、診断対象のＣＴ画像データ又はＭＲ画像データとＢ病院用画像サーバ９０から受信した合成対象のＰＥＴ画像データとを合成し、合成された画像データに基づいて合成画像を表示部６３に表示させる。
【００７７】
［Ａ病院用画像サーバの動作］
次に、動作を説明する。
図６は、Ａ病院用画像サーバ４０において実行される処理を示すフローチャートである。この処理は、Ａ病院において患者を撮影して得られた医用画像データを、他の医療施設においても利用可能なように、メディアＭに記憶させる処理であり、Ａ病院用画像サーバ４０の制御部４１とＲＯＭ４５に記憶されているプログラムとの協働によるソフトウェア処理によって実現される。なお、本動作の前提として、データを書き込むためのメディアＭは、メディアドライブ４７にセットされている。
【００７８】
まず、制御部４１により、記憶部４６に記憶されている医用画像データの付帯情報が読み出され、読み出された付帯情報に基づいて、医用画像データのリストが表示部４３に表示される。そして、ユーザの操作部４２からの操作により、記憶部４６に記憶されている医用画像データの中から、メディアＭへの書き込み対象となる医用画像データが選択される（ステップＳ１）。例えば、医用画像データとして、ＰＥＴ画像データ、ＣＴ画像データ、ＭＲ画像データが選択される。
【００７９】
次に、制御部４１により、選択された医用画像データと画像合成プログラム４６１とが記憶部４６から読み出される。そして、制御部４１により、メディアドライブ４７が制御され、選択された医用画像データと画像合成プログラム４６１とがメディアＭに書き込まれる（ステップＳ２）。
以上で、Ａ病院用画像サーバ４０における処理が終了する。
【００８０】
［汎用ＰＣ端末の動作］
患者は、Ａ病院用画像サーバ４０において医用画像データ及び画像合成プログラム４６１が書き込まれたメディアＭを持ってＢ病院へ行く。Ｂ病院の医師は、汎用ＰＣ端末６０において読影を行う。
【００８１】
図７は、汎用ＰＣ端末６０において実行される処理を示すフローチャートである。
まず、メディアドライブ６７に、Ａ病院用画像サーバ４０においてデータが書き込まれたメディアＭがセットされると、汎用ＰＣ端末６０の制御部６１により、メディアＭがセットされたことが検知される。次に、制御部６１により、メディアドライブ６７を介して、メディアＭから画像合成プログラム４６１が読み出され（ステップＳ１１）、ＲＡＭに展開され、画像合成プログラム４６１が起動される（ステップＳ１２）。そして、制御部６１と画像合成プログラム４６１との協働により、以下の処理が実行される。
【００８２】
制御部６１により、メディアＭに記憶されている医用画像データの付帯情報が読み出され、読み出された付帯情報に基づいて、検査リストが表示部６３に表示される（ステップＳ１３）。
【００８３】
図８に、表示部６３に表示される検査リスト画面６３１の表示例を示す。検査リスト画面６３１には、メディアＭに記憶されている医用画像データの患者ＩＤ（メディアＭが作成されたＡ病院における患者ＩＤ）、患者名、検査日、検査種、部位等が表示される。
【００８４】
次に、ユーザの操作部６２からの操作により、検査リストの中から診断対象となる検査が選択される（ステップＳ１４）。そして、制御部６１により、選択された検査に含まれる、診断対象の医用画像データが特定される（ステップＳ１５）。具体的には、制御部６１により、選択された検査に対応する検査インスタンスＵＩＤが付帯情報に含まれる医用画像データが特定される。
【００８５】
次に、制御部６１により、診断対象の医用画像データの付帯情報が読み出され、付帯情報に基づいて、診断対象の医用画像データと同一患者の同一部位を撮影して得られた合成対象の医用画像データを検索するための検索条件が決定される（ステップＳ１６）。
【００８６】
具体的には、制御部６１により、診断対象の医用画像データの付帯情報のうち患者情報から「患者名（英字、カナ、漢字）」「性別」「生年月日」等、同一患者であることが期待される条件が抽出され、診断対象の医用画像データの付帯情報のうちシリーズ情報から、「モダリティ名（検査種）」「検査部位」が抽出される。そして、診断対象の医用画像データがＰＥＴ画像データである場合には、同一患者の同一部位を撮影して得られたＣＴ画像データ又はＭＲ画像データを検索対象とする検索条件が決定される。一方、診断対象の医用画像データがＣＴ画像データ又はＭＲ画像データである場合には、同一患者の同一部位を撮影して得られたＰＥＴ画像データを検索対象とする検索条件が決定される。
【００８７】
なお、ＣＴ画像データ又はＭＲ画像データを検索する際に、検索条件に合致するＣＴ画像データ、ＭＲ画像データの両方が存在する場合には、骨の形状が見やすいＣＴ画像データを優先して抽出することとしてもよい。また、ＣＴ画像データ又はＭＲ画像データを検索する際に、ＣＴ画像データ又はＭＲ画像データが複数存在する場合には、日付が新しい方を抽出することとしてもよいし、複数提示してユーザに選択させることとしてもよい。
【００８８】
また、ＰＥＴ画像データを検索する際にも、検索条件に合致するＰＥＴ画像データが複数存在する場合には、日付が新しい方を抽出することとしてもよいし、複数提示してユーザに選択させることとしてもよい。
【００８９】
また、検索条件として使用する患者情報は、「患者名（英字、カナ、漢字）」「性別」「生年月日」等の情報のうち一部であってもよく、複数の属性が一致した場合に同一患者とみなすこととすればよい。
【００９０】
次に、制御部６１により、決定された検索条件に基づいて、メディアＭ内に記憶されている医用画像データの中から合成対象の医用画像データが検索される（ステップＳ１７）。ここで、検索条件に合致する医用画像データがメディアＭ内に存在する場合には（ステップＳ１８；ＹＥＳ）、制御部６１により、メディアＭ内から合成対象の医用画像データが読み出される（ステップＳ１９）。
【００９１】
次に、制御部６１により、診断対象の医用画像データとメディアＭ内から読み出された合成対象の医用画像データについて、画像方向合わせ、サイズ合わせ及び位置合わせが行われ、両医用画像データが合成される（ステップＳ２０）。
【００９２】
例えば、制御部６１により、正面、背面、左側面、右側面等のＰＥＴ画像データに対して、ＣＴ画像データ又はＭＲ画像データが３次元的に画像処理されて、画像方向合わせが行われる。また、例えば、制御部６１により、付帯情報に含まれる画素間隔（１画素が何ｍｍに相当するかを示す情報）及び画像サイズ（画像の横方向・縦方向のそれぞれの画素数）に基づいて、両医用画像データのサイズ合わせが行われる。また、例えば、制御部６１により、両医用画像データから所定の位置が検出され、当該位置を合わせるように、位置合わせが行われる。
【００９３】
図９（ａ）は、頭部を撮影して得られたＰＥＴ画像データの例、図９（ｂ）は、頭部を撮影して得られたＣＴ画像データの例である。図９（ｃ）に示すように、ＰＥＴ画像データとＣＴ画像データとを合成することにより、組織の形状を表示しつつ、細胞の代謝の様子を示すことができる。
【００９４】
次に、制御部６１により、合成された医用画像データに基づいて、合成画像（フュージョン画像）が表示部６３に表示される（ステップＳ２１）。
【００９５】
ステップＳ１８において、検索条件に合致する医用画像データがメディアＭ内に存在しない場合には（ステップＳ１８；ＮＯ）、制御部６１により、記憶部６６に記憶されている画像サーバ所在情報６６１に基づいて、Ｂ病院用画像サーバ９０に対して、検索条件に合致する合成対象の医用画像データの取得要求が通信部６４を介して送信される（ステップＳ２２）。
【００９６】
ここで、Ｂ病院用画像サーバ９０内に検索条件に合致する合成対象の医用画像データが存在し、通信部６４により、Ｂ病院用画像サーバ９０から合成対象の医用画像データが受信された場合には（ステップＳ２３；ＹＥＳ）、制御部６１により、診断対象の医用画像データと合成対象の医用画像データについて、画像方向合わせ、サイズ合わせ及び位置合わせが行われ、両医用画像データが合成される（ステップＳ２０）。そして、制御部６１により、合成された医用画像データに基づいて、合成画像が表示部６３に表示される（ステップＳ２１）。
【００９７】
図１０に、合成画像表示画面６３２の表示例を示す。合成画像表示画面６３２は、合成画像表示領域ｃ１、患者ＩＤ表示領域ｃ２，ｃ３、患者名表示領域ｃ４、検査日表示領域ｃ５，ｃ６、検査種表示領域ｃ７，ｃ８、部位表示領域ｃ９、施設表示領域ｃ１０，ｃ１１等から構成される。
【００９８】
合成画像表示領域ｃ１は、合成画像が表示される領域である。患者ＩＤ表示領域ｃ２は、Ｂ病院用画像サーバ９０から取得した合成対象の医用画像データの患者ＩＤが表示される領域である。患者ＩＤ表示領域ｃ３は、Ａ病院で撮影され、メディアＭを介して提供された診断対象の医用画像データの患者ＩＤが表示される領域である。患者名表示領域ｃ４は、患者名が表示される領域である。検査日表示領域ｃ５は、合成対象の医用画像データの検査日が表示される領域である。検査日表示領域ｃ６は、診断対象の医用画像データの検査日が表示される領域である。検査種表示領域ｃ７は、合成対象の医用画像データの検査種が表示される領域である。検査種表示領域ｃ８は、診断対象の医用画像データの検査種が表示される領域である。部位表示領域ｃ９は、検査部位が表示される領域である。施設表示領域ｃ１０は、合成対象の医用画像データが生成された施設の名称が表示される領域である。施設表示領域ｃ１１は、診断対象の医用画像データが生成された施設の名称が表示される領域である。
【００９９】
ステップＳ２３において、Ｂ病院用画像サーバ９０から合成対象の医用画像データが受信されない場合（ステップＳ２３；ＮＯ）、すなわち、Ｂ病院用画像サーバ９０内に合成対象の医用画像データが存在しない場合には、制御部６１により、診断対象の医用画像データに基づいて、診断対象として選択された医用画像のみが表示部６３に表示される（ステップＳ２４）。
以上で、汎用ＰＣ端末６０における処理が終了する。
【０１００】
［Ｂ病院用画像サーバの動作］
図１１は、Ｂ病院用画像サーバ９０において実行される処理を示すフローチャートである。この処理は、Ｂ病院用画像サーバ９０の制御部９１とＲＯＭ９５に記憶されているプログラムとの協働によるソフトウェア処理によって実現される。
【０１０１】
まず、Ｂ病院用画像サーバ９０において、通信部９４により、汎用ＰＣ端末６０から合成対象の医用画像データの取得要求が受信された場合には（ステップＳ３１；ＹＥＳ）、制御部９１により、検索条件に基づいて、Ｂ病院用画像サーバ９０の記憶部９６に記憶されている医用画像データの中から検索条件に合致する合成対象の医用画像データが検索される（ステップＳ３２）。ここで、合成対象の医用画像データが記憶部９６内に存在する場合には（ステップＳ３３；ＹＥＳ）、制御部９１により、記憶部９６内から合成対象の医用画像データが読み出され、通信部９４を介して汎用ＰＣ端末６０に送信される（ステップＳ３４）。
【０１０２】
ステップＳ３３において、合成対象の医用画像データが記憶部９６内に存在しない場合には（ステップＳ３３；ＮＯ）、そのまま処理が終了する。
以上で、Ｂ病院用画像サーバ９０における処理が終了する。
【０１０３】
以上説明したように、第１の実施の形態によれば、汎用ＰＣ端末６０において、制御部６１と画像合成プログラム４６１との協働により、診断対象の医用画像データの付帯情報から検索条件に必要な情報を抽出するので、検索条件を手入力する必要がなく、容易にメディアＭやＢ病院用画像サーバ９０から合成対象の医用画像データを取得することができる。したがって、診断対象の医用画像データがＰＥＴ画像データである場合には、診断対象のＰＥＴ画像データと合成すべき合成対象のＣＴ画像データ又はＭＲ画像データを容易に取得することができる。一方、診断対象の医用画像データがＣＴ画像データ又はＭＲ画像データである場合には、診断対象のＣＴ画像データ又はＭＲ画像データと合成すべき合成対象のＰＥＴ画像データを容易に取得することができる。
【０１０４】
また、汎用ＰＣ端末６０において、診断対象の医用画像データと合成対象の医用画像データとを合成し、合成された画像データに基づいて合成画像を表示部６３に表示することができるので、画像診断時の操作性を向上させることができる。
【０１０５】
また、Ｂ病院用画像サーバ９０に対して合成対象の医用画像データの取得要求を送信するのに先立って、メディアＭから合成対象の医用画像データを検索することができる。
【０１０６】
［第２の実施の形態］
次に、本発明の第２の実施の形態について説明する。
第２の実施の形態における医用画像システムは、第１の実施の形態に示した医用画像システム１と同様の構成によってなるため、図１〜図５を援用し、図示及び説明を省略する。以下、第２の実施の形態に特徴的な構成及び処理について説明する。
【０１０７】
第２の実施の形態では、画像合成プログラム４６１は、当該プログラムを実行するコンピュータに対して、メディアＭに共に記憶されている医用画像データの中から診断対象の医用画像データを選択させ、診断対象の医用画像データと同一患者の同一部位を撮影して得られた合成対象の医用画像データを取得させ、診断対象の医用画像データと合成対象の医用画像データとを合成させ、当該合成された画像データに基づいて合成画像を表示させるためのプログラムであって、合成対象の医用画像データが存在しない場合には、診断対象の医用画像データと同一患者の同一部位を撮影（診断対象の医用画像データがＰＥＴ画像データである場合にはＣＴ撮影又はＭＲ撮影、診断対象の医用画像データがＣＴ画像データ又はＭＲ画像データである場合にはＰＥＴ撮影）するための撮影条件を生成させ、当該生成された撮影条件をモダリティに送信させるためのプログラムである。
【０１０８】
汎用ＰＣ端末６０の制御部６１は、メディアドライブ６７を介して、メディアＭから画像合成プログラム４６１を読み出し、画像合成プログラム４６１との協働により、メディアＭに共に記憶されている医用画像データの中から診断対象の医用画像データを選択させる。
【０１０９】
診断対象の医用画像データとしてＰＥＴ画像データが選択された場合には、制御部６１は、診断対象のＰＥＴ画像データと同一患者の同一部位を撮影して得られた合成対象のＣＴ画像データ又はＭＲ画像データを、メディアＭに記憶されている医用画像データの中から検索する。制御部６１は、メディアＭ内に合成対象のＣＴ画像データ又はＭＲ画像データが存在する場合に、診断対象のＰＥＴ画像データとメディアＭから読み出した合成対象のＣＴ画像データ又はＭＲ画像データとを合成し、合成された画像データに基づいて合成画像を表示部６３に表示させる。
【０１１０】
制御部６１は、メディアＭ内に合成対象のＣＴ画像データ又はＭＲ画像データが存在しない場合に、Ｂ病院用画像サーバ９０に対して、診断対象のＰＥＴ画像データと同一患者の同一部位を撮影して得られた合成対象のＣＴ画像データ又はＭＲ画像データの取得要求を送信する。制御部６１は、Ｂ病院用画像サーバ９０から合成対象のＣＴ画像データ又はＭＲ画像データを受信した場合に、診断対象のＰＥＴ画像データとＢ病院用画像サーバ９０から受信した合成対象のＣＴ画像データ又はＭＲ画像データとを合成し、合成された画像データに基づいて合成画像を表示部６３に表示させる。
【０１１１】
制御部６１は、Ｂ病院用画像サーバ９０内に合成対象のＣＴ画像データ又はＭＲ画像データが存在しない場合に、診断対象のＰＥＴ画像データと同一患者の同一部位をＣＴ撮影又はＭＲ撮影するための撮影条件を生成し、当該生成された撮影条件をモダリティ５０（ＣＴ装置又はＭＲ装置）に送信する。
【０１１２】
一方、診断対象の医用画像データとしてＣＴ画像データ又はＭＲ画像データが選択された場合には、制御部６１は、診断対象のＣＴ画像データ又はＭＲ画像データと同一患者の同一部位を撮影して得られた合成対象のＰＥＴ画像データを、メディアＭに記憶されている医用画像データの中から検索する。制御部６１は、メディアＭ内に合成対象のＰＥＴ画像データが存在する場合に、診断対象のＣＴ画像データ又はＭＲ画像データとメディアＭから読み出した合成対象のＰＥＴ画像データとを合成し、合成された画像データに基づいて合成画像を表示部６３に表示させる。
【０１１３】
制御部６１は、メディアＭ内に合成対象のＰＥＴ画像データが存在しない場合に、Ｂ病院用画像サーバ９０に対して、診断対象のＣＴ画像データ又はＭＲ画像データと同一患者の同一部位を撮影して得られた合成対象のＰＥＴ画像データの取得要求を送信する。制御部６１は、Ｂ病院用画像サーバ９０から合成対象のＰＥＴ画像データを受信した場合に、診断対象のＣＴ画像データ又はＭＲ画像データとＢ病院用画像サーバ９０から受信した合成対象のＰＥＴ画像データとを合成し、合成された画像データに基づいて合成画像を表示部６３に表示させる。
【０１１４】
制御部６１は、Ｂ病院用画像サーバ９０内に合成対象のＰＥＴ画像データが存在しない場合に、診断対象のＣＴ画像データ又はＭＲ画像データと同一患者の同一部位をＰＥＴ撮影するための撮影条件を生成し、当該生成された撮影条件をモダリティ５０（ＰＥＴ装置）に送信する。
【０１１５】
［Ａ病院用画像サーバの動作］
次に、動作を説明する。
Ａ病院用画像サーバ４０において実行される処理は、第１の実施の形態において図６を参照して説明した処理と同様であるため、説明を省略する。ただし、ステップＳ２において書き込まれる画像合成プログラム４６１は、Ｂ病院用画像サーバ９０内に合成対象の医用画像データが存在しない場合に、診断対象の医用画像データと同一患者の同一部位を撮影（診断対象の医用画像データがＰＥＴ画像データである場合にはＣＴ撮影又はＭＲ撮影、診断対象の医用画像データがＣＴ画像データ又はＭＲ画像データである場合にはＰＥＴ撮影）するための撮影条件を生成し、生成された撮影条件をモダリティに送信させるものである。
【０１１６】
［汎用ＰＣ端末の動作］
患者は、Ａ病院用画像サーバ４０においてデータが書き込まれたメディアＭを持ってＢ病院へ行く。Ｂ病院の医師は、汎用ＰＣ端末６０において読影を行う。
【０１１７】
図１２は、汎用ＰＣ端末６０において実行される処理を示すフローチャートである。
図１２のステップＳ４１〜ステップＳ５３の処理は、図７に示したステップＳ１１〜ステップＳ２３の処理と同様であるため、説明を省略する。
【０１１８】
ステップＳ５３において、通信部６４により、Ｂ病院用画像サーバ９０から合成対象の医用画像データが受信されない場合（ステップＳ５３；ＮＯ）、すなわち、Ｂ病院用画像サーバ９０内に合成対象の医用画像データが存在しない場合には、制御部６１により、診断対象の医用画像データと同一患者の同一部位を撮影するための撮影条件が生成される（ステップＳ５４）。この撮影条件は、診断対象の医用画像データがＰＥＴ画像データである場合には、同一患者の同一部位をＣＴ撮影又はＭＲ撮影するための条件であり、診断対象の医用画像データがＣＴ画像データ又はＭＲ画像データである場合には、同一患者の同一部位をＰＥＴ撮影するための条件である。
【０１１９】
例えば、診断対象の医用画像データがＰＥＴ画像データである場合に生成される、ＣＴ撮影のための撮影条件には、患者名、性別、生年月日、検査種、検査部位、スライス厚、撮影長（患者における撮影開始位置から撮影終了位置までの距離）、撮影方向、管電流、管電圧等が含まれる。患者名、性別、生年月日は、診断対象のＰＥＴ画像データの付帯情報のうち患者情報から抽出される。検査種としてはＣＴが設定される。検査部位は、診断対象のＰＥＴ画像データの付帯情報のうちシリーズ情報から抽出される。スライス厚は、画像診断用ではないため、予め粗い固定値に設定されている。撮影長は、診断対象のＰＥＴ画像データの付帯情報のうち患者情報から抽出された年齢、性別、身長と、診断対象のＰＥＴ画像データの付帯情報のうちシリーズ情報から抽出された検査部位とに基づいて設定される。撮影方向は、「頭→足」又は「足→頭」のいずれかに予め設定されている。管電流、管電圧は、診断対象のＰＥＴ画像データの付帯情報のうち患者情報から抽出された体重に基づいて設定される。
【０１２０】
次に、制御部６１により、生成された撮影条件が、当該撮影条件に該当するモダリティ５０（ＣＴ装置、ＭＲ装置又はＰＥＴ装置）に対して、通信部６４を介して送信される（ステップＳ５５）。
以上で、汎用ＰＣ端末６０における処理が終了する。
【０１２１】
［Ｂ病院用画像サーバの動作］
Ｂ病院用画像サーバ９０において実行される処理は、第１の実施の形態において図１１を参照して説明した処理と同様であるため、説明を省略する。
【０１２２】
以上説明したように、第２の実施の形態によれば、第１の実施の形態と同様の効果に加え、メディアＭ又はＢ病院用画像サーバ９０内に合成対象の医用画像データが存在しない場合に、撮影条件を生成してモダリティ５０に送信するので、新たに撮影することによって合成対象の医用画像データを生成することができる。
【０１２３】
また、メディアＭ又はＢ病院用画像サーバ９０内に合成対象の医用画像データが存在する場合にはそれを利用するので、既に撮影された医用画像データがあるにもかかわらず、撮影を行うことを防止することができる。
【０１２４】
なお、上記各実施の形態における記述は、本発明に係るプログラム、可搬型記憶媒体及び情報処理装置の一例であり、これに限定されるものではない。システムを構成する各装置の細部構成及び細部動作に関しても適宜変更可能である。
【０１２５】
例えば、上記各実施の形態において、医用画像データや画像合成プログラム４６１等をメディアＭに書き込む機能を、Ａ病院用画像サーバ４０に持たせる構成としたが、当該機能をモダリティ２０に持たせる構成としてもよい。
【０１２６】
以上の説明では、各処理を実行するためのプログラムを格納したコンピュータ読み取り可能な媒体としてＲＯＭや可搬型記憶媒体を使用した例を開示したが、この例に限定されない。その他のコンピュータ読み取り可能な媒体として、フラッシュメモリ等の不揮発性メモリ等を適用することも可能である。また、プログラムのデータを通信回線を介して提供する媒体として、キャリアウェーブ（搬送波）を適用することとしてもよい。
【図面の簡単な説明】
【０１２７】
【図１】第１の実施の形態における医用画像システムのシステム構成図である。
【図２】Ａ病院用画像サーバの機能的構成を示すブロック図である。
【図３】メディアに記憶されているデータのデータ構成図である。
【図４】Ｂ病院用画像サーバの機能的構成を示すブロック図である。
【図５】汎用ＰＣ端末の機能的構成を示すブロック図である。
【図６】Ａ病院用画像サーバにおいて実行される処理を示すフローチャートである。
【図７】第１の実施の形態の汎用ＰＣ端末において実行される処理を示すフローチャートである。
【図８】汎用ＰＣ端末に表示される検査リスト画面の表示例である。
【図９】（ａ）は、頭部を撮影して得られたＰＥＴ画像データの例である。（ｂ）は、頭部を撮影して得られたＣＴ画像データの例である。（ｃ）は、合成画像の例である。
【図１０】汎用ＰＣ端末に表示される合成画像表示画面の表示例である。
【図１１】Ｂ病院用画像サーバにおいて実行される処理を示すフローチャートである。
【図１２】第２の実施の形態の汎用ＰＣ端末において実行される処理を示すフローチャートである。
【符号の説明】
【０１２８】
１  医用画像システム
１０  ＲＩＳ
２０  モダリティ
３０  画像ビューワ端末
４０  Ａ病院用画像サーバ
４１  制御部
４２  操作部
４３  表示部
４４  通信部
４５  ＲＯＭ
４６  記憶部
４６１  画像合成プログラム
４７  メディアドライブ
４８  バス
５０  モダリティ
６０  汎用ＰＣ端末
６１  制御部
６２  操作部
６３  表示部
６３１  検査リスト画面
６３２  合成画像表示画面
６４  通信部
６５  ＲＯＭ
６６  記憶部
６６１  画像サーバ所在情報
６７  メディアドライブ
６８  バス
７０  ＲＩＳ
８０  画像ビューワ端末
９０  Ｂ病院用画像サーバ
９１  制御部
９２  操作部
９３  表示部
９４  通信部
９５  ＲＯＭ
９６  記憶部
９７  バス
１００  Ａ病院内医用画像システム
２００  Ｂ病院内医用画像システム
ｃ１  合成画像表示領域
ｃ２，ｃ３  患者ＩＤ表示領域
ｃ４  患者名表示領域
ｃ５，ｃ６  検査日表示領域
ｃ７，ｃ８  検査種表示領域
ｃ９  部位表示領域
ｃ１０，ｃ１１  施設表示領域
Ｍ  メディア
Ｎ１  通信ネットワーク
Ｎ２  通信ネットワーク
【図１】
2010029283.tif 000003
【図２】
2010029283.tif 000004
【図３】
2010029283.tif 000005
【図４】
2010029283.tif 000006
【図５】
2010029283.tif 000007
【図６】
2010029283.tif 000008
【図７】
2010029283.tif 000009
【図８】
2010029283.tif 000010
【図９】
2010029283.tif 000011
【図１０】
2010029283.tif 000012
【図１１】
2010029283.tif 000013
【図１２】
2010029283.tif 000014